(57)【要約】【課題】消費者が必ずラベルを剥がして、包装容器の再資源化を容易にするストレッチシュリンクラベルを提供すること。【解決手段】帯状のフィルム基材１の一端を手前側に折り返して該フィルム基材１の表面に接合して第１接合部２を形成し、更に該フィルム基材１の他端を奥側に折り返して該フィルム基材１の裏面に接合して第２接合部３を形成してなることを特徴とするストレッチシュリンクラベル。【選択図】        図１
2004196375.tif 000002
【特許請求の範囲】
【請求項１】
帯状のフィルム基材の一端を手前側に折り返して該フィルム基材の表面に接合して第１接合部を形成し、更に該フィルム基材の他端を奥側に折り返して該フィルム基材の裏面に接合して第２接合部を形成してなることを特徴とするストレッチシュリンクラベル。
【請求項２】
帯状のフィルム基材の一端を手前側に折り返して該フィルム基材の表面に接合して第１接合部を形成し、更に該フィルム基材の他端を奥側に折り返して該フィルム基材の裏面に接合して第２接合部を形成してなり、第１接合部はフィルム基材の他端側に位置し、第２接合部はフィルム基材の一端側に位置することを特徴とするストレッチシュリンクラベル。
【請求項３】
第１接合部と第２接合部は中間帯体によって連結してなることを特徴とするストレッチシュリンクラベル。
【請求項４】
帯状のフィルム基材の両端を手前側又は奥側に折り返して該フィルム基材の表面又は裏面に接合して接合部を形成し、該接合部が１箇所であり、該接合部の両側に容器装填部が各々形成されてなることを特徴とするストレッチシュリンクラベル。
【発明の詳細な説明】
【０００１】
【発明の属する技術分野】
本発明は、プラスチック、ガラス、金属、陶器等からなる包装容器の胴部の外周表面に装着されるストレッチシュリンクラベルに関し、詳しくは、２以上の容器に同時に装着されるストレッチシュリンクラベルに関する。
【０００２】
【従来の技術】
従来、プラスチック、ガラス、金属、陶器等からなる各種の包装容器の外周表面に装着されるラベルとしては、種々の形態のものが提案されているが、それらの一つに、フィルムの自己伸縮性あるいは熱収縮性等を利用して、包装容器の外周表面に装着されるストレッチシュリンクラベルが知られている。
【０００３】
従来のストレッチシュリンクラベルは、筒状に形成され、容器に装着した後、熱収縮して容器に固着されているので、一つの容器に一つの筒状ラベルが使用されるに過ぎなかった。
【０００４】
【発明が解決しようとする課題】
近年、包装、流通業界等においては、環境保護の観点から、使用後の包装容器等を分別回収し、再利用化、再資源化が検討されている。特に、上記のような、その外周表面にストレッチシュリンクラベルを装着した包装容器等においては、包装容器とストレッチシュリンクラベルとを分別回収し、その再利用化、再資源化が図られているものである。
【０００５】
しかしながら、外周表面にストレッチシュリンクラベルを装着した包装容器においては、ストレッチシュリンクラベルを、その自己伸縮性あるいは熱収縮性を利用し、包装容器の寸法変化等に対し追従させ、包装容器の外周表面に強固な密着状態を保持させて装着させているので、消費者の一人一人が、使用後の包装容器からストレッチシュリンクラベルを分別回収し、その再利用化、再資源化を図ることを意図しても、その両者を分別回収することは極めて困難である。
【０００６】
このため近年では、ストレッチシュリンクラベルを積極的に引き裂いて分別回収可能にするために、ストレッチシュリンクラベルにノベルティーポイントを設けて、そのポイントの収集動機を利用して、ストレッチシュリンクラベルを剥がさせるようにする技術が提案されている。
【０００７】
しかし、このようなストレッチシュリンクラベルでも、そのポイントに興味を持たなければ、剥がしてくれないことがあり、全てのラベルを剥がしてくれるとは限らない問題があった。
【０００８】
そこで、本発明は、消費者が必ずラベルを剥がして、包装容器の再資源化を容易にするストレッチシュリンクラベルを提供することを課題とする。
【０００９】
【課題を解決するための手段】
本発明者は、上記のような問題点を解決すべく種々検討の結果、以下の各発明によって解決されることを見出した。
【００１０】
（請求項１）帯状のフィルム基材の一端を手前側に折り返して該フィルム基材の表面に接合して第１接合部を形成し、更に該フィルム基材の他端を奥側に折り返して該フィルム基材の裏面に接合して第２接合部を形成してなることを特徴とするストレッチシュリンクラベル。
【００１１】
（請求項２）帯状のフィルム基材の一端を手前側に折り返して該フィルム基材の表面に接合して第１接合部を形成し、更に該フィルム基材の他端を奥側に折り返して該フィルム基材の裏面に接合して第２接合部を形成してなり、第１接合部はフィルム基材の他端側に位置し、第２接合部はフィルム基材の一端側に位置することを特徴とするストレッチシュリンクラベル。
【００１２】
（請求項３）第１接合部と第２接合部は中間帯体によって連結してなることを特徴とするストレッチシュリンクラベル。
【００１３】
（請求項４）帯状のフィルム基材の両端を手前側又は奥側に折り返して該フィルム基材の表面又は裏面に接合して接合部を形成し、該接合部が１箇所であり、該接合部の両側に容器装填部が各々形成されてなることを特徴とするストレッチシュリンクラベル。
【００１４】
本発明によると、容器装填部が二つ以上形成され、それが複数の容器に同時にシュリンクパックされるので、複数の容器がくっ付いた状態で販売される。このためそれを購入した消費者は、その容器内の飲料水を実際に飲もうとすると、その容器に固着されたストレッチシュリンクラベルを破かなければならない。破く際には通常片方のラベルだけ残す消費者は少ないので、１本の容器の飲料の際にはラベルは全て剥がされることになる。
【００１５】
また本発明によると、複数本が同時にシュリンクパックされるので、ラベル装着作業の短縮が可能となる効果がある。
【００１６】
さらに本発明によると、販売時に複数本が同時に販売でき販売促進の効果もある。
【００１７】
【発明の実施の形態】
本発明のストレッチシュリンクラベルの一形態を図１に基づいて説明する。
【００１８】
図１において、１は帯状のフィルム基材であり、該フィルム基材１の右端を手前側に折り返して該フィルム基材１の表面に接合して第１接合部２を形成する。また該フィルム基材１の左端を奥側に折り返して該フィルム基材１の裏面に接合して第２接合部３を形成する。この形態において、第１接合部２は左側に、第２接合部３は右側に形成される。
【００１９】
接合部２、３を形成する接合手段は、熱シール法、接着剤による接着法、高周波溶着法等のいずれでもよい。接合部の幅は特に限定されず、２ｍｍ〜５ｍｍの範囲が好ましい。
【００２０】
４、５は図示しない包装容器を装填する容器装填部である。この実施の形態では、２個の容器を装填する容器装填部４、５の二つが形成されている例が示されている。
【００２１】
６は第１接合部２と第２接合部３の間に形成される中間帯体であり、該中間帯体６は図示のように、フィルム基材１の一部によって構成され、両側の容器装填部４、５を仕切る仕切り壁の役割を果たす。この形態では、第１接合部２が左側に、第２接合部３が右側に形成される結果、中間帯体６は両側の容器装填部４、５の仕切り壁の役割を果たすことが可能となる。
【００２２】
このため中間帯体６の両側に容器装填部４、５が配置され、このストレッチシュリンクラベルが熱収縮され容器に装着されたときに２本の容器が近接して確固に固定される。
【００２３】
使用できるフィルム基材は特に限定されないが、ポリエチレンなどのポリオレフィン樹脂フィルム、ポリエステル樹脂フィルムなどを用いることができる。
【００２４】
図２には、図１に示すストレッチシュリンクラベルを容器に装着しようとしている状態図が示されている。同図において、７、８は容器（破線で示す）であり、容器装填部４、５に各々装填されている。
【００２５】
この図２に示す状態で、シュリンクパック（加熱収縮）すると、ストレッチシュリンクラベルが２本の容器に強固に固着される。
【００２６】
次に本発明のストレッチシュリンクラベルの他の実施の形態を説明する。
【００２７】
図３に示す例は、フィルム基材１の右端を手前側に折り返して該フィルム基材１の表面に接合して第１接合部２を形成する。また該フィルム基材１の左端を奥側に折り返して該フィルム基材１の裏面に接合して第２接合部３を形成する。この形態では、第１接合部２が右側に、第２接合部３が左側に形成される。
【００２８】
この形態では、容器の径が異なっても簡易にシュリンクパックできる。
【００２９】
図４に示す例は、フィルム基材１の右端を手前側に折り返し、更にフィルム基材１の左端を奥側に折り返し、同じ箇所でフィルム基材１の裏面に接合して接合部２０を形成する。
【００３０】
この形態では接合箇所は１箇所であるので、接合作業が簡略化できる。
【００３１】
図５に示す例は、フィルム基材１の右端を奥側に折り返し、更にフィルム基材１の左端を奥側に折り返し、同じ箇所でフィルム基材１の裏面に接合して接合部２０を形成する。
【００３２】
この形態では接合箇所は１箇所であるので、接合作業が簡略化できる。
【００３３】
以上、本発明のストレッチシュリンクラベルの好ましい実施の形態を説明したが、本発明に用いられる基材フィルムの片面又は両面には印刷層が形成されることが好ましい。印刷層に形成される印刷情報は、任意であるが、例えば、商品情報（品質情報、販売促進情報などを含む）、ノベルティー情報などが含まれていてもよい。
【００３４】
また本発明のストレッチシュリンクラベルを剥がしやすいように切り取り線を入れておけば、確実にラベルを剥がしてくれるので好ましい。さらに、ラベル上にノベルティー情報が印刷されていれば更に剥がしてもらえることになり好ましい。
【００３５】
【発明の効果】
本発明によると、消費者が必ずラベルを剥がして、包装容器の再資源化を容易にする効果がある。
【００３６】
また本発明によると、複数本が同時にシュリンクパックされるので、ラベル装着作業の短縮が可能となる効果がある。
【００３７】
さらに本発明によると、販売時に複数本が同時に販売でき販売促進の効果もある。
【図面の簡単な説明】
【図１】本発明のストレッチシュリンクラベルの一形態を示す斜視図
【図２】同上のストレッチシュリンクラベルの使用状態を示す斜視図
【図３】本発明のストレッチシュリンクラベルの他の形態を示す斜視図
【図４】本発明のストレッチシュリンクラベルの他の形態を示す斜視図
【図５】本発明のストレッチシュリンクラベルの他の形態を示す斜視図
【符号の説明】
１：フィルム基材
２：第１接合部
３：第２接合部
４、５：容器装填部
６：中間帯体
７、８：容器
２０：接合部
【図１】
2004196375.tif 000003
【図２】
2004196375.tif 000004
【図３】
2004196375.tif 000005
【図４】
2004196375.tif 000006
【図５】
2004196375.tif 000007